(57)【要約】【課題】  高い光の利用効率が得られ、従って高い光の放射強度が得られる反射鏡一体型のショートアーク型放電ランプの提供。【解決手段】  ショートアーク型放電ランプは、前面に凹所を有する柱状の胴体の当該凹所の内表面に設けられた主反射面と、当該主反射面に囲まれて形成される放電空間において互いに対向して配置された陰極および陽極と、前記胴体における凹所の開口を気密に閉塞する窓部材とを備える反射鏡一体型のショートアーク型放電ランプであって、前記放電空間において、前記陰極を先端に有する陰極棒に、当該陰極棒の半径方向外方に広がり、前記主反射面に向かって光を反射させる副反射面を有する副反射面部材が設けられていることを特徴とする。【選択図】  図１
2017208214.tif 000002
【特許請求の範囲】
【請求項１】
前面に凹所を有する柱状の胴体の当該凹所の内表面に設けられた主反射面と、
当該主反射面に囲まれて形成される放電空間において互いに対向して配置された陰極および陽極と、
前記胴体における凹所の開口を気密に閉塞する窓部材とを備える反射鏡一体型のショートアーク型放電ランプであって、
前記放電空間において、前記陰極を先端に有する陰極棒に、当該陰極棒の半径方向外方に広がり、前記主反射面に向かって光を反射させる副反射面を有する副反射面部材が設けられていることを特徴とするショートアーク型放電ランプ。
【請求項２】
前記副反射面部材が、前記陰極棒に接触して固定される基部を有し、当該基部と前記副反射面との間に、前記陰極棒が接触しない状態で挿入されて当該陰極棒の外周面との間に間隙が形成される筒状の間隙形成部を有することを特徴とする請求項１に記載のショートアーク型放電ランプ。
【発明の詳細な説明】
【技術分野】
【０００１】
本発明は、反射鏡一体型のショートアーク型放電ランプに関する。
【背景技術】
【０００２】
ショートアーク型放電ランプ（以下、単に「放電ランプ」ともいう。）の一形態として、ランプ本体（胴体）が、例えばセラミックなどの不透明の絶縁部材によって形成され、光取り出し部（窓部材）のみが光透過性材料によって形成された反射鏡一体型のものが知られている（例えば、特許文献１参照。）。
この種の反射鏡一体型の放電ランプは、全体の外観形状が柱状であって、取り扱いが容易であり、安全であるなどのことから、医療用のファイバー照明用光源、ソーラーシミュレータや半導体の検査装置の光源などとして広い分野で利用されている。
【０００３】
図３は、従来のショートアーク型放電ランプの構成の一例を示す説明用断面図である。
この放電ランプ４０は、前面に凹所を有し、当該凹所の内表面に反射面５０ａが形成された胴体５０と、当該胴体５０における凹所の開口よりなる前面開口５０ｂを塞ぐための窓部材６０とを有し、胴体５０の反射面５０ａに囲まれて形成される放電空間Ｓには、キセノンガスなどの希ガスが発光ガスとして封入されると共に、陰極５２および陽極５３が互いに対向して配置されている。
【０００４】
窓部材６０は、窓支持部材６５によって支持されている。この窓支持部材６５は、筒状の内部リング部６５ａ、当該内部リング部６５ａよりも大径の筒状の外部リング部６５ｂ、および、内部リング部６５ａと外部リング部６５ｂとを繋ぐ連結部６５ｃを有する断面Ｕ字状のリング形状のものである。具体的には、窓部材６０は、窓支持部材６５の内部リング部６５ａの内周面に接着層（図示省略）を介して窓部材６０の外周面が接触するよう嵌められることにより、当該窓支持部材６５によって支持されている。
そして、窓支持部材６５に窓部材６０が支持されてなる窓組立体６６が、胴体５０の光放射方向前方にセラミックスペーサリング５６および陰極給電用の金属リング５５を介して配置され、これらが胴体５０と共に円筒状の金属筒体５８内に嵌められ、窓支持部材６５の端部と金属筒体５８の端部とが溶着されて気密にシールされている。これにより、窓組立体６６が胴体５０に対して固定されると共に気密が保たれている。
図３において、５７は、陰極５２を所定の位置に配置するための導電性支持部材、５９は、胴体５０を金属ブロック５１に固定および気密にシールするための金属筒体である。
【０００５】
このような放電ランプ４０においては、放電開始時には陰極５２と陽極５３との間に高電圧が印加されることによって両電極５２，５３間で絶縁破壊が生じ、点灯が開始される。その後、所定の電流を流すことによって放電が維持され、アーク（輝点）から光が放射される。輝点から放射された光は、図４に示されるように、反射面５０ａにより窓部材６０に向かって反射され、平行光Ｌａとして窓部材６０から出射される。
然るに、輝点から直接、窓部材６０に向かう光Ｌｂは、平行光Ｌａの光束から外れるために放電ランプ４０からの出射光として利用することができず、光の利用効率が低い、という問題があった。
【先行技術文献】
【特許文献】
【０００６】
【特許文献１】特開平８−３１２２０号公報
【発明の概要】
【発明が解決しようとする課題】
【０００７】
本発明は、以上のような事情に基づいてなされたものであり、その目的は、高い光の利用効率が得られ、従って高い光の放射強度が得られる反射鏡一体型のショートアーク型放電ランプを提供することにある。
【課題を解決するための手段】
【０００８】
本発明のショートアーク型放電ランプは、前面に凹所を有する柱状の胴体の当該凹所の内表面に設けられた主反射面と、
当該主反射面に囲まれて形成される放電空間において互いに対向して配置された陰極および陽極と、
前記胴体における凹所の開口を気密に閉塞する窓部材とを備える反射鏡一体型のショートアーク型放電ランプであって、
前記放電空間において、前記陰極を先端に有する陰極棒に、当該陰極棒の半径方向外方に広がり、前記主反射面に向かって光を反射させる副反射面を有する副反射面部材が設けられていることを特徴とする。
【０００９】
本発明のショートアーク型放電ランプにおいては、前記副反射面部材が、前記陰極棒に接触して固定される基部を有し、当該基部と前記副反射面との間に、前記陰極棒が接触しない状態で挿入されて当該陰極棒の外周面との間に間隙が形成される筒状の間隙形成部を有することが好ましい。
【発明の効果】
【００１０】
本発明のショートアーク型放電ランプにおいては、主反射面に向かって光を反射させる副反射面を有する副反射面部材が設けられている。このため、従来、輝点から直接、窓部材に向かっていた光が、副反射面に捕捉されて反射されて主反射面に戻され、当該主反射面によって反射されて平行光として窓部材を介して出射される。従って、ショートアーク型放電ランプに高い光の利用効率が得られ、その結果、高い光の放射強度が得られる。
【図面の簡単な説明】
【００１１】
【図１】本発明のショートアーク型放電ランプの構成の一例を示す説明用断面図である。
【図２】図１のショートアーク型放電ランプの副反射面部材を拡大して示す説明用断面図である。
【図３】従来のショートアーク型放電ランプの構成の一例を示す説明用断面図である。
【図４】図３のショートアーク型放電ランプから出射される光を示す模式図である。
【発明を実施するための形態】
【００１２】
以下、本発明のショートアーク型放電ランプの実施の形態について説明する。
図１は、本発明のショートアーク型放電ランプの構成の一例を示す説明用断面図であり、図２は、図１のショートアーク型放電ランプの副反射面部材を拡大して示す説明用断面図である。
この放電ランプ（ショートアーク型放電ランプ）１０は、外観形状が柱状、例えば円柱状であって、前面（図１における上面）に凹所を有し、当該凹所の内表面に主反射面２０ａが形成された胴体２０を備えている。
この胴体２０の光放射方向前方（図１における上方）には、リング形状の窓支持部材３５に支持された窓部材３０が、胴体２０における凹所の円状の開口よりなる前面開口２０ｂを塞ぐように気密に設けられている。これにより、窓部材３０と窓支持部材３５とによって構成される窓組立体３６と、胴体２０の主反射面２０ａとに囲まれた放電空間Ｓが形成されている。
この放電空間Ｓには、陰極１２および陽極１３よりなる一対の電極が互いに対向するよう近接配置されている。この陰極１２と陽極１３との間には、主反射面２０ａの焦点が位置している。陰極１２は、放電空間Ｓに配設された導電性支持部材２７によって支持されており、この導電性支持部材２７、胴体２０の円環状の前端面上に配設された金属リング２５および窓支持部材３５を介して外部給電部材（図示省略）に電気的に接続される。陽極１３は、胴体２０の貫通孔２４を介して後面開口２０ｃから導出されて外部給電部材に電気的に接続される。また、放電空間Ｓには、例えばキセノンガスなどの不活性ガスが封入されている。
また、胴体２０の光放射方向後方（図１における下方）には、金属ブロック１５が配設されており、この金属ブロック１５により、胴体２０および陽極１３が支持固定されている。
【００１３】
陰極１２は、ロッド状の陰極棒１１の先端に設けられており、陰極棒１１が、主反射面２０ａの光軸に沿って伸びる状態に配置されている。
この陰極１２は、陰極棒１１の基端部が導電性支持部材２７に固定されることによって、支持されている。
この図の例において、陰極棒１１は、金属リング２５の周上に略等間隔で設けられた３本の導電性支持部材２７によって支持されている。
陰極１２は、易電子放出物質を含むタングステン等の高融点金属よりなり、例えば先端に向かって小径となるテーパー状の先端部を有するものであり、炭化処理されたものであってもよい。
【００１４】
導電性支持部材２７は、例えば耐熱性と溶接性とを考慮したモリブデンなどからなり、放電空間Ｓにおいて、金属リング２５の半径方向内方に伸びるよう配置されている。
この導電性支持部材２７において、先端部は陰極棒１１の基端部にロウ付け等によって溶接されており、基端部はロウ付け等によって金属リング２５に固定されている。このようにして、陰極１２が陰極棒１１の先端に設けられ、陰極棒１１が導電性支持部材２７によって支持固定され、この導電性支持部材２７、金属リング２５および金属筒体２８により、放電空間Ｓの気密性を保った状態で外部給電部材に電気的に接続されている。
【００１５】
そして、この放電ランプ１０においては、陰極棒１１に、当該陰極棒１１の半径方向外方に広がり、胴体２０の主反射面２０ａに向かって光を反射させる副反射面１４ａを有する副反射面部材１４が設けられている。
具体的には例えば、副反射面部材１４は、外観形状が円柱状であり、陰極棒１１に接触して固定される基部１４ｂと、当該基部１４ｂから連続して伸びる間隙形成部１４ｃと、当該間隙形成部１４ｃから連続して伸びる、副反射面１４ａを有する先端部１４ｄとからなる。
基部１４ｂは、陰極棒１１が圧入される貫通孔１４ｈを有する筒状のものである。
間隙形成部１４ｃは、内部が基部１４ｂの貫通孔１４ｈと連通する略筒状のものである。間隙形成部１４ｃの基部１４ｂ側は、当該内部における基部１４ｂ側が当該基部１４ｂに向かって小径となるテーパー状の空間とされる逆テーパー形状とされている。間隙形成部１４ｃにおいては、陰極棒１１が接触しない状態で挿入されて当該陰極棒１１の外周面との間に間隙が形成される。
先端部１４ｄは、副反射面１４ａがその内表面に設けられた凹部を有するものである。
副反射面１４ａと基部１４ｂとの間に間隙形成部１４ｃが設けられていることにより、基部１４ｂは陰極棒１１に接触して固定されるので放熱部材として機能してしまうところ、陰極１２の温度低下を抑制することができる。
【００１６】
副反射面部材１４は、例えば石英ガラスや、タングステン、モリブデン、チタンなどの高融点部材からなるものとすることができる。
【００１７】
副反射面１４ａは、主反射面２０ａに向かって光を反射させることができる形状を有していればよく、具体的には、例えば球面状を有するもの、または、放物面状や楕円面状などの非球面状を有するものとすることができる。
また、副反射面１４ａは、誘電体多層膜や金属膜によって形成されている。
【００１８】
副反射面部材１４は、当該副反射面部材１４の基部１４ｂの貫通孔１４ｈに陰極棒１１を、箔を介在させた状態で圧入し、レーザー溶接することにより固定することができる。
このとき、副反射面１４ａの焦点位置が、主反射面２０ａの焦点位置から、陰極１２側に０．０５〜０．５０ｍｍ離間した位置に一致する状態とされることが好ましい。
【００１９】
陽極１３は、ロッド状のものであり、主反射面２０ａの光軸に沿って伸びる状態に配置されている。
陽極１３は、先端に向かって小径となるテーパー状の先端部を有する略柱状の、易電子放出物質を含むタングステン等の高融点金属よりなるものである。
この陽極１３は、その基端部が、後方円筒部２２内を挿通し、金属ブロック１５の貫通孔１５ａに嵌挿されることによって支持固定されおり、また金属ブロック１５によって放電空間Ｓの気密性を保った状態で外部給電部材に電気的に接続されている。
【００２０】
窓部材３０は、胴体２０の前面開口２０ｂを塞ぐためのものであり、例えば円盤状を有し、サファイアなどの光透過性材料よりなる。
この窓部材３０は、図１に示されているように、窓支持部材３５と共に前面開口２０ｂを塞ぐことができるよう、前面開口２０ｂよりも小径であって、主反射面２０ａの前端縁２１ａによって構成される開口（以下、「反射面開口」ともいう。）に適合した形状を有するものであることが好ましい。
また、窓部材３０の厚みは、窓部材３０の外径が２５ｍｍ程度である場合において２．５〜５．０ｍｍであることが好ましい。
この図の例において、窓部材３０は、前面開口２０ｂの開口径よりも小径であって反射面開口の開口径と略同等の外径を有するものであり、前面開口２０ｂの光放射方向前方において、反射面開口と対向するように配置されている。
【００２１】
窓支持部材３５は、例えばコバールなどの合金よりなり、窓部材３０の外径に適合した内径の筒状の内部リング部３５ａ、当該内部リング部３５ａよりも大径の筒状の外部リング部３５ｂ、および、これらを繋ぐ連結部３５ｃを有し、断面Ｕ字状のリング形状のものである。
この図の例において、窓支持部材３５は、円環状の形状を有しており、外部リング部３５ｂは、胴体２０の外径と略同等の外径を有している。すなわち、窓組立体３６が胴体２０の外径と略同等の外径を有するものとされている。
この図の例において、窓支持部材３５の内部リング部３５ａには、窓部材３０よりも光放射方向前方において当該窓部材３０の半径方向内方に向かって折り曲げられた形状の前縁部分３５ｄが形成されている。前縁部分３５ｄは、窓部材３０に接触しない状態とされることが好ましい。
【００２２】
また、窓支持部材３５は、胴体２０の外径および外部リング部３５ｂの外径に適合する内径を有する筒状の金属筒体２８により、連結部３５ｃの光放射方向後方側の表面が金属リング２５の光放射方向前方側の表面に密接した状態、すなわち電気的に接続された状態で胴体２０に固定されている。具体的には、外部リング部３５ｂの外周面の全面と金属筒体２８の内周面における光放射方向前方側部分とが溶接され、胴体２０の外周面における光放射方向前方側部分と金属筒体２８の内周面における光放射方向後方側部分とが接着剤によって接着されることにより、窓支持部材３５が胴体２０に固定されている。ここに、接着剤としては、銀ロウ材などのロウ材が用いられる。このようにして、窓部材３０を支持した状態の窓支持部材３５、すなわち窓組立体３６が胴体２０に固定されることにより、放電空間Ｓの気密状態が保たれている。
金属筒体２８は、例えばコバールなどからなるものである。
【００２３】
窓支持部材３５においては、内部リング部３５ａの内周面に包囲された空間内に窓部材３０が嵌め込まれ、当該内周面と窓部材３０の周側面３０ａとの間に接着剤が導入されて接着層（図示せず）が形成されることにより、当該窓部材３０が支持固定されている。
接着層は、窓部材３０の周側面３０ａと内部リング部３５ａの内周面との間の全周にわたって、窓部材３０の厚み方向に伸びるように形成されている。
接着層を構成する接着剤としては、例えば銀ロウ材が用いられる。
【００２４】
窓部材３０の周側面３０ａは、当該窓部材３０がサファイアなどよりなるものであり、窓支持部材３５がコバールなどの金属よりなるものであることから、窓部材３０と窓支持部材３５との接着性を向上させるために、例えばモリブデンおよびマンガンの混合物からなる金属によって被覆されてメタライズ加工されている。
具体的に説明すると、窓部材３０の周側面３０ａにメタライズ加工が施されることにより、これらの領域がメタライズ層（図示せず）に被覆され、これにより、窓部材３０と接着層との間にメタライズ層が介在されることとなる。
【００２５】
窓部材３０と窓支持部材３５との接着方法、すなわち窓組立体３６の製造方法としては、Ｍｏ−Ｍｎメタライズ法を用いる手法が挙げられる。
具体的に、Ｍｏ−Ｍｎメタライズ法を用いて窓組立体３６を製造する手法においては、例えば、先ず、窓部材３０の周側面３０ａに、モリブデンとモリブデン酸化物およびマンガンとマンガン酸化物の混合粉末を塗布し、その塗膜を湿潤水素雰囲気において温度１５００℃の条件で焼成することにより、メタライズ層を形成する。次いで、窓部材３０におけるメタライズ層が形成された領域と窓支持部材３５とを銀ロウ材によってロウ付けする。以って、窓組立体３６が製造される。
【００２６】
金属リング２５は、放電空間Ｓにおいて、胴体２０の光放射方向前方、具体的には胴体２０の前端面と窓支持部材３５との間に配設され、例えばコバールなどからなり、陰極用給電部材として機能するものである。
この金属リング２５は、内周面において導電性支持部材２７に電気的に接続されており、また光放射方向前方側の表面において窓支持部材３５を介して金属筒体２８に電気的に接続されている。このようにして、金属リング２５は、導電性支持部材２７を介して陰極１２に電気的に接続されていると共に、窓支持部材３５および金属筒体２８を介して外部給電部材に電気的に接続されている。
また、金属リング２５の外径は、図１に示されているように、当該金属リング２５の外周面と金属筒体２８の内周面との間に、その全周にわたって間隙が形成されるよう、金属筒体２８の内径よりも僅かに小径であることが好ましい。
また、金属リング２５の内径は、図１に示されているように、当該金属リング２５によって光の進行が阻害されることのないよう、反射面開口の開口径および窓部材３０の外径と略同等であることが好ましい。
この図の例において、金属リング２５は、胴体２０の前端面上に、セラミックスペーサリング２６を介して配置されている。すなわち、胴体２０の前端面には、セラミックスペーサリング２６と金属リング２５とがこの順に重ねられた状態で配置されている。セラミックスペーサリング２６は、金属リング２５の内径よりも僅かに大径であって、前面開口２０ｂの開口径よりも僅かに小径の内径を有するものであり、その外周面が金属筒体２８の内周面と密着した状態とされている。
【００２７】
胴体２０は、多結晶アルミナ（Ａｌ2 Ｏ3 ）等のセラミックなどの絶縁部材よりなり、凹状に湾曲した主反射面２０ａを内部に有する反射部２１と、反射部２１の光放射方向後方側に連続して主反射面２０ａの光軸方向外方に伸びる後方円筒部２２とを有する基材により構成されている。
この図の例において、胴体２０を構成する基材は、多結晶アルミナよりなり、反射部２１の光放射方向前方側に連続して主反射面２０ａの光軸方向外方に伸びる前方円筒部２３を有するものである。この前方円筒部２３と金属リング２５とセラミックスペーサリング２６とにより、放電空間Ｓにおいて、反射面開口の光放射方向前方に、導電性支持部材２７を収容するための領域が形成されている。また、前方円筒部２３における光放射方向前方の内端縁により、胴体２０の前面開口２０ｂが構成されている。
【００２８】
主反射面２０ａは、凹状に湾曲した形状を有するものであり、具体的には、例えば回転放物面状、回転楕円面状、非球面状を有するものとすることができる。
また、主反射面２０ａは、銀やアルミニウムなどによる金属蒸着膜や、誘電体多層膜によって形成されている。
【００２９】
また、胴体２０の外周面においては、金属筒体２８および後述の金属筒体２９と接着剤によって接着される領域に、メタライズ加工が施されている。
【００３０】
金属ブロック１５は、胴体２０に接する大径部１５ｂが当該胴体２０の外径と同等の外径を有するものであり、電気伝導性および熱伝導性の観点から、コバールよりなることが好ましい。
この金属ブロック１５には、後面開口２０ｃを介して後方円筒部２２の内部に連通し、光放射方向に貫通する貫通孔１５ａが形成されている。この貫通孔１５ａは、陽極１３を支持固定することができるよう、陽極１３の外径に適合する内径を有するものである。
この図の例において、金属ブロック１５は、胴体２０の外径と同等の外径の大径部１５ｂと、この大径部１５ｂよりも小径の外径の小径部１５ｃとを有するものである。
【００３１】
金属ブロック１５には、胴体２０の外径および金属ブロック１５の大径部１５ｂの外径に適合する内径を有する筒状の金属筒体２９により、胴体２０が固定されている。具体的には、大径部１５ｂの外周面の全面と金属筒体２９の内周面における光放射方向後方側部分とが溶接され、胴体２０の外周面における光放射方向後方側部分と金属筒体２９の内周面における光放射方向前方側部分とが接着剤によって接着されることにより、胴体２０が金属ブロック１５に固定されている。ここに、接着剤としては、銀ロウ材などのロウ材が用いられる。このようにして、胴体２０の後面開口２０ｃが、僅かな間隙を介して、陽極１３を支持した状態の金属ブロック１５によって密閉されている。
金属筒体２９は、例えばコバールなどからなるものである。
【００３２】
この放電ランプ１０は、放電空間Ｓに２ＭＰａの静圧力でキセノン等の不活性ガスが充填されており、定格電流２０Ａ、消費電力が３００Ｗのものである。
【００３３】
また、放電ランプ１０の寸法の一例は以下の通りである。
胴体２０においては、全長が２０ｍｍ、外径が３５ｍｍである。
陰極棒１１および陰極１２においては、合計の全長が１４ｍｍ、陰極棒１１のロッド径が１．５ｍｍ、陰極１２の先端のテーパー角が６５°である。
副反射面部材１４においては、外形の外径φ１が５．５ｍｍ、長さ（図２において上下方向長さ）ｈ１が４．０６ｍｍである。また、間隙形成部１４ｃおよび先端部１４ｄの合計の長さ（図２において上下方向長さ）ｈ２が３．０ｍｍ、先端部１４ｄの長さ（図２において上下方向長さ）ｈ３が１．４ｍｍである。基部１４ｂの貫通孔１４ｈの内径φ２が１．５ｍｍ、間隙形成部１４ｃの内部のテーパー状の空間の開き角αが１２０°、間隙形成部１４ｃの内径φ３が３．０ｍｍである。また、副反射面１４ａは、副反射面部材１４の中心軸上の先端（図２における下端）から外方に１．２ｍｍ離間した点を中心とする半径３．０ｍｍの球面であり、副反射面１４ａの表面は光沢面である。さらに、副反射面部材１４の先端（図２における下端）から陰極１２の先端までの距離ｄが１．５６ｍｍである。
陽極１３においては、全長が２３ｍｍ、直径が４ｍｍである。また、陽極１３と陰極１２との電極間距離は１．４ｍｍである。
窓部材３０においては、外径が２５．４ｍｍ、厚みが３ｍｍである。また、窓部材３０の、窓支持部材３５の光放射方向先端からの距離は０．７ｍｍである。
窓支持部材３５においては、高さ（図１における上下方向長さ）が５．６５ｍｍであり、外部リング部３５ｂの外径が３１．５ｍｍ、内部リング部３５ａの外径が２６．３ｍｍ、厚みが０．６５ｍｍである。また、窓部材３０の外表面（光出射面）と窓支持部材３５の前縁部分３５ｄの内面との距離は０．０５ｍｍである。
【００３４】
この放電ランプ１０においては、放電開始時には陰極１２と陽極１３との間に高電圧が印加されることによって両電極１２，１３間で絶縁破壊が生じ、点灯が開始される。その後、所定の電流を流すことによって放電が維持され、アーク（輝点）から光が放射される。輝点から放射された光のうち、直接、主反射面２０ａに入射する光Ｌ１は、当該主反射面２０ａによって窓部材３０に向かって反射されて当該窓部材３０から出射される。図１において光Ｌ１の光路を一点鎖線で示す。一方、輝点から放射された光のうち、直接、副反射面１４ａに入射する光Ｌ２は、当該副反射面１４ａに反射されて主反射面２０ａに入射され、当該主反射面２０ａによって窓部材３０に向かって反射されて当該窓部材３０から出射される。図１において光Ｌ２の光路を二点鎖線で示す。
【００３５】
以上のような放電ランプ１０においては、主反射面２０ａに向かって光を反射させる副反射面１４ａを有する副反射面部材１４が設けられている。このため、従来、輝点から直接、窓部材３０に向かっていた光が、副反射面１４ａに捕捉されて反射されて主反射面２０ａに戻され、当該主反射面２０ａによって反射されて平行光として窓部材３０を介して出射される。従って、放電ランプ１０に高い光の利用効率が得られ、その結果、高い光の放射強度が得られる。
【００３６】
以上、本発明の実施の形態について説明したが、本発明は上記の実施の形態に限定されず、種々の変更を加えることが可能である。
【符号の説明】
【００３７】
１０  ショートアーク型放電ランプ
１１  陰極棒
１２  陰極
１３  陽極
１４  副反射面部材
１４ａ  副反射面
１４ｂ  基部
１４ｃ  間隙形成部
１４ｄ  先端部
１４ｈ  貫通孔
１５  金属ブロック
１５ａ  貫通孔
１５ｂ  大径部
１５ｃ  小径部
２０  胴体
２０ａ  主反射面
２０ｂ  前面開口
２０ｃ  後面開口
２１  反射部
２１ａ  前端縁
２２  後方円筒部
２３  前方円筒部
２４  貫通孔
２５  金属リング
２６  セラミックスペーサリング
２７  導電性支持部材
２８  金属筒体
２９  金属筒体
３０  窓部材
３０ａ  周側面
３５  窓支持部材
３５ａ  内部リング部
３５ｂ  外部リング部
３５ｃ  連結部
３５ｄ  前縁部分
３６  窓組立体
４０  放電ランプ
５０  胴体
５０ａ  反射面
５０ｂ  前面開口
５１  金属ブロック
５２  陰極
５３  陽極
５５  金属リング
５６  セラミックスペーサリング
５７  導電性支持部材
５８  金属筒体
５９  金属筒体
６０  窓部材
６５  窓支持部材
６５ａ  内部リング部
６５ｂ  外部リング部
６５ｃ  連結部
６６  窓組立体
Ｓ  放電空間
【図１】
2017208214.tif 000003
【図２】
2017208214.tif 000004
【図３】
2017208214.tif 000005
【図４】
2017208214.tif 000006